(57)【特許請求の範囲】
【請求項１】
ケーブルタイにおいて、
くびれ部分（１３０）を形成する第一の端部と、該第一の端部と反対側の自由端部（１１２）と、第一の端部及び自由端部（１１２）の間の中間部分（１１４）とを有し、該中間部分（１１４）が所定の断面積を形成する所定の幅Ｂ及び厚さＴ1を有するストラップ（１１０）と、
該ストラップ（１１０）の前記第一の端部にて前記ストラップ（１１０）のくびれ部分（１３０）に固着されたケーブルタイヘッド（１２０）とを備え、
該ケーブルタイヘッド（１２０）は、幅Ｂよりも広い幅Ｅを有し且つ係止装置（１５０）を保持するストラップの挿入通路（１４０）を含み、該ストラップの挿入通路（１４０）が前記ストラップ（１１０）の前記自由端部（１１２）を受け入れ得る寸法とされており、
前記くびれ部分（１３０）は、幅Ｂから幅Ｅと同一の幅Ｅ´まで遷移する幅と、厚さＴ1よりも薄い厚さＴ2とを有し、
前記くびれ部分（１３０）は、前記ストラップ（１１０）の前記中間部分（１１４）の断面積と等しい断面積を有し、それにより、前記くびれ部分（１３０）の引張り強度は、前記ストラップ（１１０）の前記中間部分（１１４）の引張り強度と等しくなる、ケーブルタイ。
【請求項２】
請求項１のケーブルタイにおいて、くびれ部分が約９０°の角度の曲げ部分を有する、ケーブルタイ。
【請求項３】
請求項１のケーブルタイにおいて、ケーブルタイヘッドのストラップの挿入通路が、ストラップの中間部分に対し実質的に垂直な軸に沿って方向決めされる、ケーブルタイ。
【請求項４】
請求項１のケーブルタイにおいて、くびれ部分の断面が厚さＴ2の少なくとも１つの薄厚な通路と、Ｔ2よりも厚い厚さＴ3の増厚した側部分とを有する、ケーブルタイ。
【請求項５】
請求項１乃至４のケーブルタイにおいて、少なくとも１つの薄厚な通路がくびれ部分の下側部に設けられる、ケーブルタイ。
【請求項６】
請求項１乃至４のケーブルタイにおいて、少なくとも１つの薄厚な通路がくびれ部分の上側部に設けられる、ケーブルタイ。
【請求項７】
請求項１乃至４のケーブルタイにおいて、少なくとも１つの薄厚な通路が、くびれ部分の下側部に形成された第一の通路と、くびれ部分の上側部に形成された第二の通路とを有する、ケーブルタイ。
【請求項８】
請求項１乃至４のケーブルタイにおいて、少なくとも１つの薄厚な通路の幅がストラップの中間部分からケーブルタイヘッドまで拡がる、ケーブルタイ。
【請求項９】
請求項８のケーブルタイにおいて、少なくとも１つの薄厚な通路の幅の拡がり程度がくびれ部分の拡がった幅に比例する、ケーブルタイ。
【発明の詳細な説明】
【０００１】
【発明の属する技術分野】
本発明は、全体として、ケーブルタイ用の最新のくびれ部分の設計に関する。
【０００２】
【従来の技術】
ケーブルタイは、従来から、ケーブルタイヘッド及びケーブルストラップを一体に成形することにより製造されている。これらのケーブルタイの殆んどは、細長いストラップがケーブルタイヘッドから真直ぐに外方に伸びる設計のものである。かかる従来のケーブルタイの設計の一例は、図１乃至図３に図示したケイブニー等の米国特許第３，９４９，４４９号である。
【０００３】
図示するように、この従来のケーブルタイ１００は、一体に成形されたケーブルタイヘッド１２０から伸びる細長いストラップ１１０を有している。ストラップ１１０とヘッド１２０との間の境界部にくびれ領域１３０が形成されている。ケーブルタイヘッド１２０は、ストラップ１１０を受け入れるストラップの挿入通路１４０と、係止装置１５０とを有している。使用時、当該技術分野で既知のように、ケーブルタイ１００をケーブル１６０の束のような物品の周りに巻き且つ所要位置に係止することができる。
【０００４】
【発明が解決しようとする課題】
かかる従来の設計において、くびれ領域１３０に殆んど又は全く曲がりが存在しないことがしばしばである。寧ろ、図３から明らかであるように、曲がりはストラップ１１０の長さの全体に亙って増分的に生じる。ケイブニーの米国特許第３，９４９，４４９号を含む、この型式のケーブルタイの殆んどの設計は、ケーブルヘッドの幅Ｅよりも顕著に狭い均一なストラップ幅Ｂを有している。ケーブルヘッド１２０に対する遷移領域にて僅かに湾曲させることができるが、殆んどの場合、かかる設計におけるくびれ領域１３０はストラップ１１０の他の部分と同一の幅Ｂ及び断面を有するものであった。
【０００５】
また、その開示内容の全体を参考として引用し本明細書に含めた、同時出願係属中の米国特許第（弁護士事件番号第ＬＣＢ３４２号）に記載された図４乃至図９に図示したもののようなケーブルタイのくびれ部分が曲がった型式のものも既知である。かかるくびれ部分が曲がった設計において、ケーブルタイ１００は、同様にケーブルタイヘッド１２０及びストラップ１１０の双方と一体に形成されている。しかし、この設計において、ストラップ１１０は最初、ストラップの通路に対し実質的に平行なストラップの取り付け軸Ｓに沿ってヘッド１２０から伸び、次に、くびれ部分１３０に曲げ部分を形成し、このため、ストラップはストラップの取り付け軸Ｓに対し実質的に垂直に伸びる。このようなくびれ部分が曲がった設計の場合、挿入した後、ストラップ通路から出るストラップ１１０の部分はより好ましい位置をとることができる。このことは、鋭角な端縁の突刺しを回避し得るようにストラップの余剰な長さを切断するとき、特に重要なことである。しかし、使用中、ケーブルタイ１００に作用する顕著な程度の曲げ力が曲げ部分に作用する。すなわち、極めて小さいケーブル束又は大きいケーブル束の双方を受け入れるためには、ストラップ１１０は内方に又は外方に延伸し、また、かかる延伸に起因する力が予め曲げたくびれ部分１３０に集中するようにしなければならない。
【０００６】
図４乃至図９に図示した設計は、くびれ部分が寸法の点でストラップに相応しなければならないという従来からの考えに実質的に適合するものである。すなわち、ストラップ１１０は、全体として一定の全体幅及び厚さを有する。この設計におけるくびれ部分１３０は、ストラップ１１０と実質的に同一の幅Ｂを有し、また、図７に最も良く図示するように、中央部分に縮小厚さを有するえぐった底部分１１５を備えることができる。この厚さの縮小はくびれ領域の可撓性を増すために使用される。しかし、かかる設計には幾つかの問題点がある。第一に、くびれ部分がえぐられないならば、くびれ部分にて曲げることは困難である。第二に、くびれ部分がえぐられたとき、ストラップ本体の他の部分の引張り強度と比較してストラップの強度（引張り強度）が低下する。第三に、成形及び信頼上の問題点がある。かかる設計による成形は、複雑な形状の２部分型金型により実現される。金型は図６及び図８に太い破線で示すように、段付き分離線（Ｐ／Ｌ）を有し、この分離線はくびれ部分１３０の曲げ部分の周りでストラップ１１０の中間線に従い、その分離線は、次に、ケーブルタイヘッド１２０を横断して下方に傾斜する。しかし、くびれ領域にて幅Ｂよりも実質的に広い幅Ｅを有するケーブルタイヘッド１２０の最も簡単な金型成形装置の設計の場合（図４）、くびれ部分１３０とケーブルタイヘッド１２０との境界部にプラスチック部品上で鋭角な端縁及び（又は）不一致が存在する。この鋭角な端縁及び不一致は、図８に部分的に図示した複雑な金属金型２００を含む、複雑な成形装置により回避することができる。しかし、かかる複雑な成形装置は、容易に磨耗し又は破損する可能性のある鋭利な端縁を有している。
【０００７】
更に、くびれ部分１３０からケーブルタイヘッド１２０へ遷移する鋭角な段部（断面の変化）が存在する何れの設計においても、確実に応力増加領域が生じる可能性がある。くびれ部分が両方向に顕著に曲がるため、かかる応力増加部分は特に、その部品に対し脆弱な材料が使用されるとき、部品を破損させる可能性がある。
【０００８】
【課題を解決するための手段】
本発明の１つの目的は、改良されたくびれ部分の設計を有するケーブルタイを提供することである。このくびれ部分の設計は、ストラップ部分にて実現される強度よりも曲げ強度を低下させずにくびれ部分にて改良された可撓性及び曲げ状態を許容する。更に、くびれ部分の設計は、ケーブル絶縁体の損傷を防止し且つより簡単な金型の設計を採用することを許容する緩やかな端縁の半径を保つ。
【０００９】
本出願人は、くびれ部分が曲がった型式のケーブルタイのストラップの位置は曲がり部分のくびれ半径を最大にし且つくびれ部分の可撓性を向上させることにより、改良することが可能であることが分かった。ストラップの厚さ、分離線の角度、ストラップ本体の端縁の半径は、ケーブルタイヘッドからくびれ部分に遷移可能な半径の寸法を制限する。
【００１０】
簡単な矩形の断面のケーブルタイに対する慣性モーメントの一般的な等式はＩ＝（Ｂ×Ｔ3）／１２であり、ここで、Ｂはストラップの幅、Ｔはストラップの厚さである。１）ストラップをより狭小に形成し又は、２）ストラップをより薄く形成することにより、くびれ部分の可撓性を向上させることができる。可変値を小さくし且つその他の定数を保つことは、慣性モーメントを低下させ、これによりその領域内の部品を曲げるための力を軽減することができる。しかし、これを行うことは、その部分の面積を縮小させる（Ａ＝Ｂ×Ｔ）ことにもなり、このことはその部分の引張り強度を低下させるという有害な効果がある。従って、これら方法を使用して曲げ可撓性を増そうとする試みの結果、引張り強度が低下かることとなり、このことは望ましくないことである。
【００１１】
本出願人は、厚さを薄くしつつ、ストラップの幅を拡げることにより、その部分の引張り強度（面積）を維持し又は増大させる一方、望ましいより小さい慣性モーメントを実現することができることを知見した。部品の全体の厚さを薄くし又は部品の一側部又は両側部に通路を形成することにより、ストラップの幅が拡がるとき、慣性モーメントの程度を低下させることができる。通路形状の幾何学的形態は、成形した部品をより容易に充填する目的のためより厚い厚さの流露を維持するという更なる有利な点がある。
【００１２】
本出願人は又、ケーブルタイヘッドの幅に適合するようにストラップの幅を増す上で有利な製造方法及び使用方法も知見した。このことは、特許請求の範囲に記載されたもののようなくびれ部分が曲がった型式のケーブルタイを形成するため使用することのできる、段付きの分離線部分に対し最も望ましい成形装置の形態を提供するものである。すなわち、ヘッドの幅に適合するくびれ部分の幅は、鋭角な端縁を解消し又は部品上の不一致を解消するため、弱体なすなわち複雑な金型の構成部品を不要にする。くびれ部分の幅がヘッドの幅に適合するかかる設計は、また、断面が急激に変化する従来の応力集中部分を解消する。
【００１３】
上記及び他の目的は、一体型のケーブルタイヘッド及びストラップを含むケーブルタイにより実現される。ストラップは、くびれ部分を形成する第一の端部と、第一の端部と反対側に位置する自由端部と、第一の端部及び自由端部の間の中間部分とを備え、中間部分が所定の断面積を形成する所定の幅Ｂ1及び厚さＴ1を有する。ケーブルタイヘッドがストラップの第一の端部におけるストラップくびれ領域に固着され、ケーブルタイヘッドがストラップ幅Ｂよりも広く且つ係止装置を保持するストラップの挿入通路を含む幅Ｅを有する、ストラップの挿入通路は、ストラップの自由端部を受け入れる寸法とされている。くびれ部分は、幅Ｂから幅Ｅと実質的に同一の幅Ｅ´まで遷移する幅及びＴ1よりも薄い厚さＴ2を有しており、くびれ部分はストラップの中間部分の引張り強度に少なくとも等しい引張り強度を有するようにストラップの中間部分の断面積に少なくとも実質的に等しい断面積を有する。ケーブルタイは、くびれ部分が曲がった型式のケーブルタイとすることができる。好ましくは、くびれ部分は薄厚にした厚さＴ2及び増厚した側部分を画成する少なくとも１つの凹状通路を有するようにする。
【００１４】
【発明の実施の形態】
本発明は、くびれ部分が曲がった型式のケーブルタイにて特に重要である、ケーブルタイのくびれ部分の可撓性が向上したケーブルタイに関するものである。従来のケーブルタイは、主として、ストラップの断面に実質的に等しいくびれ部分の断面を使用する（図１０参照）。その結果、ストラップの他の部分に等しい引張り強度を有するくびれ部分となるが、段付きの分離線を有する、くびれ部分が曲がったケーブルタイには上述の問題点が伴う。
【００１５】
ストラップの厚さ、分離線の角度、ストラップ本体の端縁の半径は、くびれ部分が曲がった型式のケーブルタイにてケーブルタイヘッドからくびれ部分に遷移可能な半径の寸法を制限することになる。簡単な矩形の断面のケーブルタイに対する慣性モーメントの一般的な等式は、Ｉ＝（Ｂ×Ｔ3）／１２であり、ここで、Ｂはストラップの幅、Ｔはストラップの厚さである。図８及び図９の設計の結果、くびれ部分の断面がストラップ本体の断面に略々等しくなるため（図１０に図示）くびれ部分の可撓性が制限されることとなり、このことは、慣性モーメントが大きくなる。この可撓性はえぐった底部分１１５を提供することにより増大させることができるが、その結果、ストラップにて実現される強度よりも引張り強度が低下し、このことは望ましくないことである。
【００１６】
しかし、くびれ部分が曲がった型式のケーブルタイの曲がり部分にてくびれ部分の半径を最大にし、また、くびれ部分の可撓性を向上させることにより、ストラップの位置を向上させることができる。当該出願人達は、厚さを薄くする一方でストラップの幅を拡げることにより、断面の引張り強度（面積）を維持し又は増大させつつ、望ましいより低慣性モーメント（Ｉ＝Ｂ×Ｔ3）を実現することができることを知見した。その部分の全体厚さを薄くすることにより又はその部分の一側部又は両側部に薄厚にした通路を形成することにより、ストラップの幅が増すとき、慣性モーメントの大きさを低下させることができる。通路形状の幾何学的形態は、成形した部品をより容易に充填する目的のため、より厚い流路（より大きい断面積）が維持されるという更なる利点を有する。この結果を実現するために使用することのできる一例としての断面の設計が図１１乃至図１４に図示されている。これら全ての設計において、くびれ部分の断面積は、ストラップの断面積と実質的に同一のままであるようにすることができる（図１０）が、十分な引張り強度を保持しつつ、くびれ領域内の一層の可撓性を許容し得るようにストラップ本体におけるよりもより低慣性モーメントとなる。
【００１７】
図１１において、ストラップ１１０のくびれ部分１３０は、ストラップよりも狭小ではなくて広く、又、ストラップの断面と実質的に同一の断面積を有する。図１２において、薄厚にした中央部分（厚さＴ2）及び厚さＴ3を有する側部分１３６を画成し得るように通路領域１３２がストラップの下面から切込まれている。図１３において、薄厚な中央部分（厚さＴ2）及び図１２に図示したものと同様の増厚した側部分１３８を画成し得るように、通路領域１３４がストラップの上面から切込まれている。図１４において、通路１３２、１３４の双方が設けられている。
【００１８】
これらの原理を具体化する第一の例としてのくびれ部分が曲がった型式のケーブルタイが図１５乃至図１９に図示されている。これらのケーブルタイは、ナイロン、ポリプロピレン等種々のフルオロポリマーのような色々な材料から成形される。かかるケーブルタイは、同様に当該技術分野にて既知の特定の用途に合うように色々な寸法及び長さにて成形することができる。更に、これらのケーブルタイは、当該技術分野にて既知であるように、一体型係止装置又は別個の金属製係止装置の何れかを備える１部分型又は２部分型ケーブルタイの何れかとすることができる。この一例としてのケーブルタイ１００は、くびれ部分１３０を形成する第一の端部と、実質的に均一な幅Ｂを有する中間部分１１４と、自由端部１１２とを有するケーブルタイストラップ１１０を含む。ストラップ１１０の第一の端部（くびれ部分１３０）は実質的に一定の幅Ｅを有するケーブルタイヘッド１２０に成形されている。くびれ部分１３０は狭小なストラップ幅Ｂからケーブルタイヘッド１２０の幅に実質的に等しい幅Ｅ´まで遷移する。ケーブルタイ１００はまた、ストラップ係止装置１５０を有するストラップの挿入通路１４０も備えている。係止装置１５０はストラップ１１０に設けられた１つ又はより多数の歯１１６に噛合う単一の部材（１部分型ケーブルタイ）とするか又はストラップを所要位置に保持し且つ外れに抵抗し得るようにより柔軟なストラップ材料に喰込む、ステンレス鋼のような材料で出来た別個の金属製係止装置とする。
【００１９】
図１８及び図１９に最も良く示すように、くびれ部分１３０は、ケーブルヘッド１２０の外形及び幅Ｅに実質的に適合するようにテーパーが付けられている。この実施の形態におけるくびれ部分１３０は、図１４に図示したものと同様の断面を有し、この場合、ストラップ１１０の中間部分の厚さと実質的に等しい厚さとすることができる増厚した側部分１３６、１３８と比較して薄い厚さを提供し得るように上側溝１３４及び下側溝１３２の双方がくびれ部分に形成される。しかし、くびれ部分１３０の幅が幅Ｂから幅Ｅ´に拡がるため、この撓み箇所における全断面積は、ストラップ１１０と実質的に同一である。従って、くびれ部分１３０は、慣性モーメントを低下させることによりくびれ部分１３０の可撓性を向上させる一方で、ストラップ１１０自体と同一又はより優れた引張り強度を実現することができる。このことは、ケーブルタイが撓む間の曲げ力はくびれ部分１３０に集中するため、くびれ部分が曲がった型式のケーブルタイにて重要なことである。
【００２０】
本出願人は、ケーブルタイヘッドの幅に適合するようにくびれ部分にてストラップの幅を拡げることは、製造上、有利であることも知見した。このことは、特許請求の範囲に記載されたケーブルタイのような、くびれ部分が曲がった型式のケーブルタイを形成するために使用することのできる、段付きの分離線部分にとって最も望ましい成形装置の形態を提供することになる。更に、増厚した側部分１３６、１３８を提供することにより、成形中、成形した部品をより容易に充填する目的及びその有利さのためケーブルタイヘッドとストラップとの間により大きい流路が提供される。このことは、射出成形中、薄い厚さのため、さもなければ信頼性が高く且つ一定の成形を実現するのに十分な材料の流れを阻止する可能性があるくびれ部分１３０を通る十分な材料の流れを保証することに役立つ。
【００２１】
更に、ヘッドの幅に適合するくびれ部分の幅は、プラスチック部品における不一致及び鋭角な隅部を解消し得るように、磨耗し又は破断する可能性のある弱体なすなわち複雑な金型の構成部品を不要にする。くびれ部分の幅がヘッドの幅に適合するかかる設計はまた、断面が急激に変化する従来の応力集中部分を解消することにもなる。
【００２２】
別の一例としてのくびれ部分が曲がった型式のケーブルタイが図２０乃至図２５に図示されている。この実施の形態において、くびれ部分１３０は、幅Ｂからケーブルタイヘッド１２０の幅Ｅと実質的に同一の幅Ｅ´まで遷移する。しかし、くびれ部分１３０は、図１２に図示したものと同様の断面を有し、この場合、下側部に増厚した側部分１３６を残して、下側部にのみえぐった通路１３２が形成される。その結果、低慣性モーメントとなる。好ましくは、通路１３２は、図２１及び図２５に図示するように、ケーブルタイヘッド１２０に向けて幅が拡がり、ストラップ１１０の第一の端部に向けた可撓性を増しつつ、望ましい引張り強度を保ち得るようにくびれ部分１３０の長さに沿って実質的に一定の全断面積を提供することができるようにする。
【００２３】
図２４に図示するように、ケーブルタイ１００は、破線の形態で図示するように、段付き分離線（Ｐ／Ｌ）を有する２部分型金型により形成される。この分離線Ｐ／Ｌは、くびれ部分１３０の曲げ部分の周りでストラップ１１０の中間線に従い、次に、その分離線はケーブルヘッド１２０を亙って下方に傾斜する。幅の広いテーパー付きのくびれ部分１３０の場合、図４乃至図７に図示した部分又は図８及び図９に図示したスチール部分に何ら鋭角な端縁が存在しない。更に、くびれ部分１３０からケーブルヘッド１２０までの断面の大きい段差を防止することにより、応力増加部分及び応力集中部分が最小となる。更に、滑らかな遷移により、ケーブルタイを使用する間、ケーブルによって損傷され又はケーブルと干渉する可能性のある鋭角な端縁が生ずる可能性が少なくなる。これらの有利な点の全てと共に、増大した可撓性を実現し且つ引張り強度を維持するくびれ部分となる。
【００２４】
上述した特定の実施の形態に関して本発明のシステムを説明したが、当該技術分野の当業者には、多くの代替例、改変例及び変更例が明らかであることは明白である。従って、一例としての実施の形態は、説明のためであり、非限定的なものであることを意図するものである。本発明の精神及び範囲から逸脱せずに色々な変更を加えることができる。
【図面の簡単な説明】
【図１】従来技術の一体型ケーブルタイの頂面図である。
【図２】図１の従来のケーブルタイの側面図である。
【図３】ケーブル束の周りに係止した状態で図示した図１及び図２のケーブルタイの側面図である。
【図４】くびれ部分が曲がった既知の型式のケーブルタイの部分頂面図である。
【図５】図４の既知のケーブルタイの部分斜視図である。
【図６】金型の分離線を示す図４の既知のケーブルタイの部分側面図である。
【図７】図４の既知のケーブルタイの別の斜視図である。
【図８】くびれ領域に隅部のプロフィールを形成するのに必要な金型半体の金型分離線及び部分側面図の双方を示す図４に図示したものと同様の１つの代替的なケーブルタイの設計の側面図である。
【図９】図８の既知のケーブルタイの別の斜視図である。
【図１０】所定の断面積を有する従来のケーブルタイのくびれ領域の断面図である。
【図１１】本発明によるくびれ領域の第一の実施例の断面図である。
【図１２】本発明によるくびれ領域の第二の実施例の断面図である。
【図１３】本発明によるくびれ領域の第三の実施例の断面図である。
【図１４】本発明によるくびれ領域の第四の実施例の断面図である。
【図１５】本発明の第一の好ましい実施の形態によるくびれ部分が曲がった型式のケーブルタイの頂面図である。
【図１６】図１５のくびれ部分が曲がった型式のケーブルタイの側面図である。
【図１７】図１５のくびれ部分が曲がった型式のケーブルタイの底面図である。
【図１８】図１５のくびれ部分が曲がった型式のケーブルタイの頂部斜視図である。
【図１９】図１５のくびれ部分が曲がった型式のケーブルタイの底部斜視図である。
【図２０】本発明の第二の好ましい実施の形態によるくびれ部分が曲がった型式のケーブルタイの頂部斜視図である。
【図２１】図２０のくびれ部分が曲がった型式のケーブルタイの底部斜視図である。
【図２２】図２０のくびれ部分が曲がった型式のケーブルタイの部分頂面図である。
【図２３】図２２のくびれ部分が曲がった型式のケーブルタイの部分斜視図である。
【図２４】金型分離線を示す図２０のくびれ部分が曲がった型式のケーブルタイの部分側面図である。
【図２５】くびれ領域の底側部を示す図２２のくびれ部分が曲がった型式のケーブルタイの別の斜視図である。
【符号の説明】
１００  ケーブルタイ              １１０  ストラップ
１１２  自由端部                  １１４  中間部分
１１６  歯                        １１５  底部分
１２０  ケーブルタイヘッド        １３０  くびれ領域
１３２  通路領域／下側溝          １３４  通路領域／上側溝
１３６、１３８  増厚した側部分        １４０  ストラップの挿入通路
１５０  係止装置                  １６０  ケーブル
２００  金属金型
【図１】
0004278344.tif 000002
【図２】
0004278344.tif 000003
【図３】
0004278344.tif 000004
【図４】
0004278344.tif 000005
【図５】
0004278344.tif 000006
【図６】
0004278344.tif 000007
【図７】
0004278344.tif 000008
【図８】
0004278344.tif 000009
【図９】
0004278344.tif 000010
【図１０】
0004278344.tif 000011
【図１１】
0004278344.tif 000012
【図１２】
0004278344.tif 000013
【図１３】
0004278344.tif 000014
【図１４】
0004278344.tif 000015
【図１５】
0004278344.tif 000016
【図１６】
0004278344.tif 000017
【図１７】
0004278344.tif 000018
【図１８】
0004278344.tif 000019
【図１９】
0004278344.tif 000020
【図２０】
0004278344.tif 000021
【図２１】
0004278344.tif 000022
【図２２】
0004278344.tif 000023
【図２３】
0004278344.tif 000024
【図２４】
0004278344.tif 000025
【図２５】
0004278344.tif 000026